(57)【要約】【課題】索条を好適に誘導するとともに、線路導滑車との接触による索条の摩耗や損傷を軽減することのできる鋼索鉄道の線路導滑車を提供すること【解決手段】線路導滑車１７は、固定したローラーピン１９に回転可能に支持される輪芯２７と、輪芯の外周に外嵌されたゴムタイヤ３１と、輪芯に固着してゴムタイヤ３１を両側方から挟持する下側フランジ３２及びこの下側フランジ３２よりも外径の大きな上側フランジ３３と、上側フランジの外周部に固着したガイドリング３５と、を備え、ゴムタイヤは硬質合成ゴムにより形成されており、ガイドリングは合成樹脂により形成されている。【選択図】図４
2015020500.tif 000002
【特許請求の範囲】
【請求項１】
鋼索鉄道の線路湾曲部に配置されて索条を支承する線路導滑車であって、該線路導滑車は、固定したローラーピンに回転可能に支持される輪芯と、該輪芯の外周に外嵌されたゴムタイヤと、前記輪芯に固着して前記ゴムタイヤを両側方から挟持する下側フランジ及び該下側フランジよりも外径の大きな上側フランジと、該上側フランジの外周部に固着したガイドリングと、を備え、前記ゴムタイヤは硬質合成ゴムにより形成されており、前記ガイドリングは合成樹脂により形成されていることを特徴とする鋼索鉄道の線路導滑車。
【発明の詳細な説明】
【技術分野】
【０００１】
本発明は、鋼索鉄道の線路に配置され、線路に沿って索条を支承して誘導するための線路導滑車に関する。
【背景技術】
【０００２】
鋼索鉄道は、索条の両端に車両を連結し、この索条を山頂に設置した滑車に巻き掛けて、滑車を回転駆動することにより車両を地上に敷設したレールに沿ってつるべ式に運行するようにしたものであって、その多くは、高所景勝地への観光や山頂にある神社仏閣への参拝のための登坂用交通機関として利用されている。
【０００３】
図１は、ケーブルカーの概要を示した説明図である。図において、傾斜面に敷設されたレール１０上には二台の車両１１が配置され、このレール１０に沿って山麓側停留場と山頂側停留場の間を往復走行する。各車両１１は、一条の索条１６の両端部にそれぞれ連結されており、索条１６の中間部は山頂側に設けられた対動滑車１２及び原動滑車１３に巻き掛けられている。
【０００４】
原動滑車１３は、原動装置１４の駆動部１５により時計回転、または、反時計回転の両方向へ回転駆動され、これにより索条１６が移動する。二台の車両１１の位置関係は、一の車両１１が山頂側の停留場に位置するときに他の車両１１が山麓側の停留場に位置する関係にあり、索条１６の移動とともに各車両１１、１１は、互いに逆方向に走行するいわゆるつるべ方式で運行される。
【０００５】
線路中には、索条１６を支承するために所定の間隔で線路導滑車１７が配置されている（例えば、特許文献１（第１図）参照）。この線路導滑車１７は、線路形状が平面方向に直線状の場合には垂直方向へ直立して回転するように設置され、線路形状が平面方向に湾曲する場合には、索条１６の湾曲に対応して傾けて設置されている（例えば、特許文献２（第５図）参照）。また、現在運行に供されている鋼索鉄道は、大正時代末期から昭和時代初期にかけて建設された設備が多数であり、通常これらの設備においては、鉄鋼製の線路導滑車１７（例えば、非特許文献１）が採用されている。
【先行技術文献】
【特許文献】
【０００６】
【特許文献１】特開昭６２−２５８８５４号公報
【特許文献２】特開平１−２６６０５４号公報
【非特許文献】
【０００７】
【非特許文献１】ＪＩＳ  Ｅ  ９２０２−１９９３（鋼索鉄道用線路導滑車）
【発明の概要】
【発明が解決しようとする課題】
【０００８】
しかしながら、このように索条を鉄鋼製の線路導滑車で支承した場合には、鉄鋼どうしが接触するために索条の摩耗が早くなるとともに、騒音が大きいという問題があった。また、上記のような接触の問題により、耐食性に優れるメッキ仕様の索条を使用することができない。
【０００９】
本発明は、このような事情に鑑みてなされたものであって、鋼索鉄道の線路中の特に線路が平面方向へ湾曲する部分に配置される線路導滑車において、索条を好適に誘導するとともに、線路導滑車との接触による索条の摩耗や損傷を軽減することのできる鋼索鉄道の線路導滑車を提供することを目的としている。
【課題を解決するための手段】
【００１０】
本発明は、鋼索鉄道の線路湾曲部に配置されて索条を支承する線路導滑車であって、該線路導滑車は、固定したローラーピンに回転可能に支持される輪芯と、該輪芯の外周に外嵌されたゴムタイヤと、前記輪芯に固着して前記ゴムタイヤを両側方から挟持する下側フランジ及び該下側フランジよりも外径の大きな上側フランジと、該上側フランジの外周部に固着したガイドリングと、を備え、前記ゴムタイヤは硬質合成ゴムにより形成されており、前記ガイドリングは合成樹脂により形成されていることを特徴としている。
【発明の効果】
【００１１】
本発明によれば、硬質合成ゴム製のゴムタイヤにより索条を支承するため、接触により索条が摩耗することを軽減できる。また、索条が支承位置から離れた後、再び支承位置に復帰する場合に、索条に多少の振れがあっても支承位置まで索条を良好に誘導でき、またこの際に索条を誘導するガイドリングは合成樹脂製であるので、索条が損傷することを軽減できる。
【図面の簡単な説明】
【００１２】
【図１】鋼索鉄道の概要を示した説明図
【図２】線路湾曲部の平面図
【図３】線路湾曲部の正面図
【図４】線路導滑車の正面断面図
【図５】図４におけるＡ−Ａ矢視図
【図６】索条と線路導滑車との位置関係図
【発明を実施するための形態】
【００１３】
以下、本発明の具体的な実施の形態を図面を参照して説明する。図２は、線路湾曲部の平面図、図３は、線路湾曲部の正面図である。地上には２列のレール１０が所定の間隔で平行に配置され、図の下側から上側に向けて右側へ湾曲して敷設されている。両レール１０の間には、２本の索条１６がレール１０と略平行して延線されている。この索条１６は、山頂側停留場の駆動装置に巻き掛けて折り返された一条の索条１６であり、この索条１６の両端には、それぞれ車両１１（図３参照）を連結し、車両１１が互いに反対方向へ進行するように牽引する。両レール１０間には、所定の間隔で線路導滑車１７が配置され、索条１６が所定の位置となるように誘導及び支承している。図３に示すように、この箇所における線路導滑車１７は、線路の湾曲外側方向へ傾斜して設置されている。
【００１４】
図４は、線路導滑車１７の正面断面図であり、図５は、図４におけるＡ−Ａ矢視図である。線路中においてレール１０の下に敷き並べられた前後の枕木（図示せず）の間には、支持ビーム１８ａ、１８ｂを掛け渡して個設し、この支持ビーム１８ａ、１８ｂ上に、ローラーピン１９の両端部を支持する軸受け２０ａ、２０ｂを固着している。ローラーピン１９には、中央部に位置するスリーブ２１と、この両脇に配置されるベアリング２２とが外嵌され、さらにこのベアリング２２の外側にベアリングカラー２３とカラー２４とが順次外嵌されている。ローラーピン１９の両端には、軸受け２０ａ、２０ｂの内径より大きな外径で円盤状に形成された押さえ板２５をボルト２６で固着し、このボルト２６を締め込むことによりローラーピン１９に外嵌した各部材が密着してベアリング２２が位置決めされている。
【００１５】
ベアリング２２の外輪には、輪芯２７が外嵌されている。この輪芯２７は、鉄鋼により形成されたものであってもよいが、アルミニウム等のより比重の小さな材料を採用すれば、軽量化の面でより好適である。輪芯２７の内周側両側面には、ベアリング押さえ２８をボルト２９により固着している。このベアリング押さえ２８は、ベアリングカラー２３側にオイルシール３０を備えるとともに、輪芯２７の内周内側へ突出する部位が形成されており、この部位がベアリング２２に当接して輪芯２７の横方向の位置が固定されている。
【００１６】
輪芯２７の外周面にはゴムタイヤ３１が外嵌され、このゴムタイヤ３１を挟み込むように下側フランジ３２と上側フランジ３３がボルト３４によって輪芯２７に固着されている。上側フランジ３３は、下側フランジ３２に比して厚さを厚く、また外径を大きく形成されている。ゴムタイヤ３１は硬質合成ゴムで形成されたものであって、この外周面は中央部付近が最小径となるように形成されており、断面形状において中央部付近が円弧形状に形成されるとともに、この円弧から下側フランジ３２及び上側フランジ３３の外周部へ傾斜して延びる溝形状に形成されており、この形状により索条１６はゴムタイヤ３１の中央部に誘導される。
【００１７】
ゴムタイヤ３１の上側フランジ３３側の外周部は、外径が下側フランジ３２の外径よりもやや大きな外径となる位置で寸断されており、この外周部の外側円周にはガイドリング３５が取り付けられている。このガイドリング３５は、ナイロン等の合成樹脂により形成されており、断面形状において内側の側面がゴムタイヤ３１の溝の傾斜と連続するように傾斜した形状に形成されている。上側フランジ３３の側面には、ガイドリング３５の形状に合わせて凹状に溝３６が形成されており、ガイドリング３５はこの溝３６に嵌合し、ボルト３７により上側フランジ３３に固着されている。また、ボルト３７の位置には、上側フランジ３３及びガイドリング３５ともに座ぐり孔が形成されており、ボルト３７及びナットが上側フランジ３３及びガイドリング３５の両側面から突出しないようになっている。ガイドリング３５の内径は下側フランジ３２の外径より大きいので、これを交換するにあたっては、ガイドリング３５を下側フランジ３２側から取り外すことができ、全体を分解することなく容易に交換することができる。
【００１８】
図６は、索条１６と線路導滑車１７との位置関係図である。１６ｂは車両１１に索条１６が連結されている位置であり、１６ａは車両１１が離れた位置にあるときに線路導滑車１７が索条１６を支持する状態の位置である。図６において運転時の状態を説明すると、まず、車両１１が当該線路導滑車１７の位置よりも山麓側に位置している場合には、索条１６は１６ａの位置にあり線路導滑車１７に支持されている。車両１１が上昇してきてこの位置へ近づくと、索条１６は斜め上方の１６ｂの方向へと徐々に浮き上がり、車両１１が線路導滑車１７を通過するときに車両１１との連結位置１６ｂまで索条１６が離れ、車両１１が通過した後は索条１６が無い状態となる。
【００１９】
続いて、車両１１が山頂方向から下降してきて線路導滑車１７の位置に達すると、索条１６が車両１１との連結位置１６ｂに位置し、この後、車両１１が遠ざかるのにともなって、索条１６は斜め下方の１６ａの位置まで徐々に下降し線路導滑車１７に支持される。このときに、運行の状況によっては索条１６に多少の振れを伴うことがあるが、上記したように上側フランジ３３を大きな外径で構成しているので、このような場合であっても上側フランジ３３及びガイドリング３５によって、索条１６を１６ａ方向へ良好に誘導することができる。また、上側フランジ３３の外周部に備えたガイドリング３５は、合成樹脂により形成されているので、索条１６がガイドリング３５と接触しても索条１６の損傷や摩耗は軽減される。
【符号の説明】
【００２０】
１０  レール
１１  車両
１２  対動滑車
１３  原動滑車
１４  原動装置
１５  駆動部
１６  索条
１６ａ、１６ｂ  位置
１７  線路導滑車
１８ａ、１８ｂ  支持ビーム  
１９  ローラーピン
２０ａ、２０ｂ  軸受け
２１  スリーブ
２２  ベアリング
２３  ベアリングカラー
２４  カラー
２５  押さえ板
２６  ボルト
２７  輪芯
２８  ベアリング押さえ
２９  ボルト
３０  オイルシール
３１  ゴムタイヤ
３２  下側フランジ
３３  上側フランジ
３４  ボルト
３５  ガイドリング
３６  溝
３７  ボルト
【図１】
2015020500.tif 000003
【図２】
2015020500.tif 000004
【図３】
2015020500.tif 000005
【図４】
2015020500.tif 000006
【図５】
2015020500.tif 000007
【図６】
2015020500.tif 000008